(57)【特許請求の範囲】
【請求項１】
第１の光透過部に第１の表示部が形成されるとともに第２の光透過部に第２の表示部が形成された表示パネルと、
前記第１の光透過部に背後に配置される第１の着色部材と、
前記第２の光透過部に背後に配置される第２の着色部材と、
前記第１の着色部材を通じて前記第１の光透過部を照明する第１の光源と、
前記第２の着色部材を通じて前記第２の光透過部を照明する第２の光源と、
前記第１の光源から発せられる第１の照明光を前記第１の着色部材に導くための第１の照明空間部と前記第２の光源から発せられる第２の照明光を前記第２の着色部材に導くための第２の照明空間部と前記第１、第２の光源を取り囲む本体部とを有するケース体とを備え、
前記本体部には、
前記第１の照明空間部と前記第２の照明空間部とを仕切る仕切壁と、
前記仕切壁側に位置する箇所を除いた前記第１の着色部材の外縁部箇所を支持する第１の支持部と、
前記仕切壁側に位置する箇所を除いた前記第２の着色部材の外縁部箇所を支持する第２の支持部とが設けられていることを特徴とする照明装置。
【発明の詳細な説明】
【技術分野】
【０００１】
本発明は、例えば車両用計器に搭載され、前面パネルに設けられた複数の光透過部を照明するため照明装置に関するものである。
【背景技術】
【０００２】
従来より、この種の照明装置にあっては、例えば下記特許文献１に記載されているものが知られている。この特許文献１に記載の照明装置は、例えば図６、図７に示すように、第１の光透過部１ａに第１のインジケータ意匠（第１の表示部）１ｂが形成されるとともに第２の光透過部１ｃに第２のインジケータ意匠（第２の表示部）１ｄが形成された前面パネル１と、第１の光透過部１ａに背後側に配置される矩形状の第１のカラーレンズ２と、第２の光透過部１ｃに背後側に配置される矩形状の第２のカラーレンズ３と、第１のカラーレンズ２を通じて第１の光透過部１ａを照明する第１の光源４と、第２のカラーレンズ３を通じて第２の光透過部１ｃを照明する第２の光源５と、第１の光源４から発せられる第１の照明光４ａを第１のカラーレンズ２に導くための第１の照明空間部６ａと第２の光源５から発せられる第２の照明光５ａを第２のカラーレンズ３に導くための第２の照明空間部６ｂと第１、第２の光源４、５を取り囲む本体部６ｃとを有する樹脂製のケース体６とを備え、例えば第１の光透過部１ａと第２の光透過部１ｃとは上下に並設されているものである。
【０００３】
そして、この場合、前面パネル１の母材である基板１ｅにおいて、各光透過部１ａ、１ｃ及び各インジケータ意匠１ｂ、１ｄを除いた箇所に黒色印刷層１ｆが設けられ、また本体部６ｃには、第１の照明空間部６ａと第２の照明空間部６ｂとを仕切る仕切壁６ｄと、第１のカラーレンズ２における周縁部分２ａの全周を支持する枠状の第１の支持部６ｅと、第２のカラーレンズ３における周縁部分３ａの全周を支持する枠状の第２の支持部６ｆとが一体形成された構成となっている。
【先行技術文献】
【特許文献】
【０００４】
【特許文献１】特開平１０−２６７７０１号公報
【発明の概要】
【発明が解決しようとする課題】
【０００５】
上述した従来の照明装置の場合、ケース体６の本体部６ｃに一体形成された枠状の第１、第２の支持部６ｅ、６ｆを用いて、各カラーレンズ２、３（各周縁部分２ａ、３ａ全周）をそれぞれ支持する構成となっているが、このような構成の場合、仕切壁６ｄと対面している第１の支持部６ｅの第１の仕切壁側支持部６ｇと、同様に仕切壁６ｄと対面している第２の支持部６ｆの第２の仕切壁側支持部６ｈとが本体部６ｃに一体形成されることに起因して、各インジケータ意匠（各表示部）１ｂ、１ｄの意匠面が小さくなり（つまり図６中、上下方向に沿った各光透過部１ａ、１ｃの意匠面の幅寸法Ｖ１、Ｖ２が小さくなり）、当該意匠面のデザイン上の自由度が低下してしまうという問題点がある。
そこで本発明は、前述の課題に対して対処するため、第１、第２の表示部の意匠面を大きく確保して、当該意匠面のデザイン上の自由度の向上させることが可能な照明装置の提供を目的とするものである。
【課題を解決するための手段】
【０００６】
本発明は、第１の光透過部に第１の表示部が形成されるとともに第２の光透過部に第２の表示部が形成された表示パネルと、前記第１の光透過部に背後に配置される第１の着色部材と、前記第２の光透過部に背後に配置される第２の着色部材と、前記第１の着色部材を通じて前記第１の光透過部を照明する第１の光源と、前記第２の着色部材を通じて前記第２の光透過部を照明する第２の光源と、前記第１の光源から発せられる第１の照明光を前記第１の着色部材に導くための第１の照明空間部と前記第２の光源から発せられる第２の照明光を前記第２の着色部材に導くための第２の照明空間部と前記第１、第２の光源を取り囲む本体部とを有するケース体とを備え、前記本体部には、前記第１の照明空間部と前記第２の照明空間部とを仕切る仕切壁と、前記仕切壁側に位置する箇所を除いた前記第１の着色部材の外縁部箇所を支持する第１の支持部と、前記仕切壁側に位置する箇所を除いた前記第２の着色部材の外縁部箇所を支持する第２の支持部とが設けられていることを特徴とする。
【発明の効果】
【０００７】
本発明によれば、初期の目的を達成でき、第１、第２の表示部の意匠面を大きく確保して、当該意匠面のデザイン上の自由度の向上させることが可能な照明装置を提供できる。
【図面の簡単な説明】
【０００８】
【図１】本発明の実施形態による車両用計器の正面図。
【図２】図１のＡ−Ａ断面図（ハッチングは省略）。
【図３】図１のＢ−Ｂ断面図。
【図４】同実施形態によるケース体の一部と第１、第２の光源とを示す斜視図。
【図５】同実施形態の変形例による表示パネルを取り除いた状態の車両用計器の要部正面図。
【図６】従来技術による照明装置の正面図。
【図７】図６のＹ−Ｙ断面図。
【発明を実施するための形態】
【０００９】
以下、図１〜図４を用いて、本発明の実施形態を車両用計器に搭載されるインジケータ表示部を照明するための照明装置に適用した場合を例に挙げて説明する。
【００１０】
図１において、本実施形態による車両用計器は、指針式表示部１０と、表示器２０と、インジケータ表示部３０とから主に構成されている。
【００１１】
指針式表示部１０は、車両の走行速度を表示する速度計からなり、車両用計器の左方側に位置しており、図２に示すように線状に延びる指針１１と、この指針１１を作動させる計器ムーブメントからなる駆動装置１２と、この駆動装置１２を導通装着してなる回路基板１３と、指針１１と配線基板１３との間に位置し、指針１１によって指示される目盛等の計測値表示部１４ａを有する表示板（表示パネル）１４とで主に構成され、表示板１４の背後側に設けられる回路基板１３上には、指針１１及び表示板１４に対応する複数の発光素子１５と、インジケータ表示部３０に対応する複数個の光源（後述する）とが搭載されている。
【００１２】
そして、この場合、指針１１は発光素子１５の点灯によりその照射光を受けて発光可能な光透過材料により形成され、また表示板１４の計測値表示部１４ａ（図１参照）は発光素子１５の点灯によりその照射光を受けて発光するよう光透過性材料（例えば白色系の透光性インク）により形成されている。
【００１３】
回路基板１３は、例えばガラスエポキシ系基材に所定の配線パターンが施された硬質配線基板からなり、駆動装置１２と、発光素子１５と、駆動装置１２と発光素子１５と前記光源と表示器２０の制御を行う制御手段（図示せず）と、抵抗やコンデンサ等の各種電子部品（図示せず）とが前記配線パターンに導通接続されている。
【００１４】
また、回路基板１３の前方側には、例えば白色系の合成樹脂材料にて形成されたケース体１６が設けられており、このケース体１６には、発光素子１５を収納しそれらの光を指針１１及び表示板１４側に案内する照明室が複数形成されている。なお、ケース体１６は、表示板１４を保持する保持体としての機能を有している。
【００１５】
表示板１４は、その母材となる薄板状の光透過性の基板Ｐと、この基板Ｐの表面（または背面）に印刷等によって形成される上述した計測値表示部１４ａと、この計測値表示部１４ａの背景を形成する背景部１４ｂとから主に構成されている。計測値表示部１４ａは、例えば白色系の透光性インクを用いて印刷形成され、背景部１４ｂは、例えば黒色系の遮光性インクを用いて基板Ｐの表面（または背面）に印刷形成されている。
【００１６】
表示器２０は、燃費情報等の各種車両情報を表示する液晶表示パネルからなり、車両用計器の略中央部に位置しており、表示器２０に対応する表示板１４箇所には、前記各種車両情報を臨ませるための矩形状の開口窓部４０が開口形成されている。
【００１７】
インジケータ表示部３０は、図３に示すように上述した表示板１４と、第１の着色部材３１と、第２の着色部材３２と、第１の光源３３と、第２の光源３４と、上述したケース体１６とから主に構成されている。
【００１８】
表示板１４には、開口窓部１４ｃの右方側において、第１の光透過部１４ｄと第２の光透過部１４ｅとが上下に並設された状態で形成されている（図１参照）。これら各光透過部１４ｄ、１４ｅは、背景部１４ｂの印刷にあたり各光透過部１４ｄ、１４ｅとなる部分を抜き印刷することにより、背景部１４ｂを形成する印刷層が形成されない略矩形状の抜き印刷部として形成されている。
【００１９】
そして、この場合、第１の光透過部１４ｄの略中央部に第１のインジケータ意匠からなる第１の表示部Ｄ１が印刷形成されているとともに第２の光透過部１４ｅの略中央部に第２のインジケータ意匠からなる第２の表示部Ｄ２が印刷形成されている。第１の表示部Ｄ１は、第１の光透過部１４ｄの表面（または背面）に設けられた例えば白色のハイビーム表示からなり、第２の表示部Ｄ２は、第２の光透過部１４ｅの表面（または背面）に設けられた例えば白色のニュートラル表示からなる（図１参照）。
【００２０】
このように本例における表示板１４は、第１の光透過部１４ｄに第１の表示部Ｄ１が形成されるとともに第２の光透過部１４ｅに第２の表示部Ｄ２が形成された構成となっている。
【００２１】
第１の着色部材３１は、適宜色（例えば青色）に着色された矩形平板状のカラーレンズからなり、第１の光透過部１４ｄの背後側（直下）に配置され、この場合、第１の着色部材３１の外形形状は、第１の光透過部１４ｄの外形形状と同一であるものとする。つまり、このことは、視認者側から表示板１４（車両用計器）を正視したときに、第１の光透過部１４ｄと第１の着色部材３１とが完全に重なっていることを意味している。
【００２２】
また、第１の着色部材３１の背面にはダイヤ状の反射面（図示せず）が複数形成されており、この反射面は第１の光源３３から発せられる第１の照明光Ｌ１をあらゆる方向に拡散させる光拡散機能を有している。
【００２３】
なお、３１ａは、第１の着色部材３１の周縁に沿って形成される外縁部を示しており、ここでの詳細図示は省略するが、４辺に設けられる外縁部３１ａのうち、ケース体１６に備えられる後述する仕切壁側に位置している（面している）外縁部３１ａ箇所を除いた３辺の外縁部３１ａ箇所が、ケース体１６に備えられる後述する第１の支持部によって支持される。
【００２４】
第２の着色部材３２は、適宜色（例えば緑色）に着色された矩形平板状のカラーレンズからなり、第２の光透過部１４ｅの背後側（直下）に配置され、この場合、第２の着色部材３２の外形形状は、第２の光透過部１４ｅの外形形状と同一であるものとする。つまり、このことは、視認者側から表示板１４（車両用計器）を正視したときに、第２の光透過部１４ｅと第２の着色部材３２とが完全に重なっていることを意味している。
【００２５】
また、第２の着色部材３２の背面にはダイヤ状の反射面（図示せず）が複数形成されており、この反射面は第２の光源３４から発せられる第２の照明光Ｌ２をあらゆる方向に拡散させる光拡散機能を有している。
【００２６】
なお、３２ａは、第２の着色部材３２の周縁に沿って形成される外縁部を示しており、ここでの詳細図示は省略するが、４辺に設けられる外縁部３２ａのうち、前記仕切壁側に位置している（面している）外縁部３２ａ箇所を除いた３辺の外縁部３２ａ箇所が、ケース体１６に備えられる後述する第２の支持部によって支持される。
【００２７】
第１の光源３３は、適宜色の光（例えば白色光）を発するチップ型発光ダイオードからなり、第１の着色部材３１に対応する回路基板１３上に実装（配設）されている。この場合、第１の光源３３は、第１の着色部材３１を通じて第１の光透過部１４ｄを照明するための発光体である。
【００２８】
第２の光源３４は、適宜色の光（例えば白色光）を発するチップ型発光ダイオードからなり、第２の着色部材３２に対応する回路基板１３上に実装（配設）されている。この場合、第２の光源３４は、第２の着色部材３２を通じて第２の光透過部１４ｅを照明するための発光体である。
【００２９】
また、ケース体１６は、図４に示すように第１の光源３３から発せられる第１の照明光Ｌ１を第１の着色部材３１に導くための第１の照明空間部１６ａと、第２の光源３４から発せられる第２の照明光Ｌ２を第２の着色部材３２に導くための第２の照明空間部１６ｂと、第１、第２の光源３３、３４を取り囲むように設けられる略枠状の本体部１６ｃとを有している。
【００３０】
そして、この場合、（インジケータ表示部３０の筐体を構成する）本体部１６ｃには、第１の照明空間部１６ａと第２の照明空間部１６ｂとを仕切る（区画する）ための立壁形状からなる仕切壁１６ｄと、当該仕切壁１６ｄ側に位置する箇所を除いた第１の着色部材３１の外縁部３１ａ箇所を支持する第１の支持部１６ｅと、仕切壁１６ｄ側に位置する箇所を除いた第２の着色部材３２の外縁部３２ａ箇所を支持する第２の支持部１６ｆとが設けられている。
【００３１】
仕切壁１６ｄは、この場合、図４に示すように、その両端部が第１の支持部１６ｅと第２の支持部１６ｆとでそれぞれ挟まれるような構成となっている。
【００３２】
第１の支持部１６ｅは、第１の照明空間部１６ａに対応する本体部１６ｃの内壁面箇所から第１の照明空間部１６ａ側に向けて隆起形成（突出形成）された略コの字形状の立壁部からなり、第１の支持部１６ｅの前面壁部は、本体部１６ｃの前面壁よりも一段低い位置に位置しており、この略コの字状に形成された第１の支持部１６ｅの前面壁部上に、矩形状の第１の着色部材３１に備えられる３辺の外縁部３１ａが載置される。
【００３３】
第２の支持部１６ｆは、第２の照明空間部１６ｂに対応する本体部１６ｃの内壁面箇所から第２の照明空間部１６ｂ側に向けて隆起形成（突出形成）された略コの字形状の立壁部からなり、第２の支持部１６ｆの前面壁部は、本体部１６ｃの前面壁よりも一段低い位置に位置しており、この略コの字状に形成された第２の支持部１６ｆの前面壁部上に、矩形状の第２の着色部材３２に備えられる３辺の外縁部３２ａが載置される。
【００３４】
以上のように、本実施形態では第１の光源３３から発せられる第１の照明光Ｌ１を第１の着色部材３１に導くための第１の照明空間部１６ａと第２の光源３４から発せられる第２の照明光Ｌ２を第２の着色部材３２に導くための第２の照明空間部１６ｂと各光源３３、３４を取り囲む本体部１６ｃとを有するケース体１６とを備え、本体部１６ｃには、第１の照明空間部１６ａと第２の照明空間部１６ｂとを仕切る仕切壁１６ｄと、仕切壁１６ｄ側に位置する箇所を除いた第１の着色部材３１の外縁部３１ａ箇所を支持する第１の支持部１６ｅと、仕切壁１６ｄ側に位置する箇所を除いた第２の着色部材３２の外縁部３２ａ箇所を支持する第２の支持部１６ｆとが設けられているものである。
【００３５】
従って、ケース体の仕切壁側に２つのカラーレンズ（着色部材）の周縁部分を支持する仕切壁側支持部（図７中、符号６ｇ、６ｈ参照）をぞれぞれ設けていた従来の構成と比べて、当該２つの仕切壁側支持部が廃止された分だけ、図１中、上下方向に沿った第１、第２の光透過部１４ｄ、１４ｅの意匠面を大きく確保することができる。
【００３６】
すなわち、従来の照明装置の場合、ケース体に設けられる両照明空間部の間に、仕切壁と、上記の２つの仕切壁側支持部（図７中、符号６ｇ、６ｈ参照）とが介在していたのに対し、本実施形態では、当該２つの仕切壁側支持部が廃止されたことに伴い、ケース体１６に設けられる両照明空間部１６ａ、１６ｂの間に仕切壁１６ｄのみが介在する構成となるため、図１中、上下方向に沿った第１、第２の光透過部１４ｄ、１４ｅの意匠面を大きく確保することができ（つまり図１中、上下方向に沿った各光透過部１４ｄ、１４ｅの意匠面の幅寸法Ｗ１、Ｗ２は、図７中、符号６ｇ、６ｈで示す２つの仕切壁側支持部が廃止された分だけ従来構成の幅寸法Ｖ１、Ｖ２よりも幅広くなり）、当該意匠面のデザイン上の自由度の向上させることが可能となる。
【００３７】
また本実施形態では、第１の着色部材３１及び第２の着色部材３２が矩形状である例について説明したが、例えば図５に示すように仕切壁１６ｄ側の外縁部３１ａ（以下、下側の外縁部３１ａ箇所と言う）とは反対側に位置する上側の外縁部３１ａ箇所に、外方（上方）に向けて突出する凸形状からなる複数個（もしくは単一の）の第１の突起部３１ｂを設け、仕切壁１６ｄ側の外縁部３２ａ（以下、上側の外縁部３２ａ箇所と言う）とは反対側に位置する下側の外縁部３２ａ箇所に、外方（下方）に向けて突出する凸形状からなる複数個（もしくは単一の）の第２の突起部３２ｂを設け、第１の突起部３１ｂを本体部１６ｃの第１内壁面Ｃ１に当接させるとともに第２の突起部３２ｂを本体部１６ｃの第２内壁面Ｃ２に当接させる構成としてもよい。
【００３８】
このように構成することで、下側の外縁部３１ａ箇所が仕切壁１６ｄと隙間なく密着するとともに、上側の外縁部３２ａ箇所が仕切壁１６ｄと隙間なく密着することから、第１、第２の光透過部１４ｄ、１４ｅの発光ムラを極力抑制することができるという利点がある。
【００３９】
なお、本発明は、上述の実施形態及び図面によって限定されるものではない。本発明の要旨を変更しない範囲で、適宜、実施形態及び図面に変更を加えることが可能である。
【００４０】
例えば、上述した実施形態では、各着色部材３１、３２の形状（外形形状）が矩形状である例について説明したが、各着色部材３１、３２の形状は、三角形状や少なくとも相対する１組の辺が非平行の四角形状、多角形状（例えば六角形）等のあらゆる形状を採用することができ、この場合、第１の支持部１６ｅの形状は、仕切壁１６ｄ側に位置する（面している）外縁部３１ａの１辺を除いた外縁部３１ａ箇所を支持しているような形状であればよく、同様に第２の支持部１６ｆの形状は、仕切壁１６ｄ側に位置する（面している）外縁部３２ａの１辺を除いた外縁部３２ａ箇所を支持しているような形状であればよい。
【符号の説明】
【００４１】
１４    表示板（前面パネル）
１４ｃ  第１の光透過部
１４ｄ  第２の光透過部
１６    ケース体
１６ａ  第１の照明空間部
１６ｂ  第２の照明空間部
１６ｃ  本体部
１６ｄ  仕切壁
１６ｅ  第１の支持部
１６ｆ  第２の支持部
３０    インジケータ表示部
３１    第１の着色部材
３１ａ  第１の着色部材の外縁部
３２    第２の着色部材
３２ａ  第２の着色部材の外縁部
３３    第１の光源
３４    第２の光源
Ｄ１    第１の表示部
Ｄ２    第２の表示部
Ｌ１    第１の照明光
Ｌ２    第２の照明光
【図１】
0006481476.tif 000002
【図２】
0006481476.tif 000003
【図３】
0006481476.tif 000004
【図４】
0006481476.tif 000005
【図５】
0006481476.tif 000006
【図６】
0006481476.tif 000007
【図７】
0006481476.tif 000008